(57)【要約】家具の複数の部分を互いに対して相対的に調節するための、電気モータ式の家具駆動装置は、ハンドスイッチ（２）を有しており、該ハンドスイッチ（２）はケーシングを有しており、該ケーシングにもしくは該ケーシング内に、当該家具駆動装置を制御するための電気的なスイッチ手段が配置されている。本発明によれば、電気的なスイッチ手段は、第１の部材（８）と第２の部材（１０）とを有しており、前記第１の部材（８）は、当該家具駆動装置を制御するための制御回路の一部である少なくとも１つの導体路（１６）を有しており、この場合、第１の部材（８）と第２の部材（１０）とが、互いに間隔を保って配置されており、第２の部材（１０）が、弾性変形可能な少なくとも１つのコンタクトエレメント（３８）を有しており、該少なくとも１つのコンタクトエレメント（３８）は少なくとも部分的に、導電性の材料から成っていて、非作業位置と操作位置との間で移動可能であり、前記操作位置では、前記導体路（１６）と前記コンタクトエレメント（３８）との間に電気的な接触接続が、この操作位置で当該家具駆動装置の制御が行われるように生ぜしめられている。本発明による家具駆動装置は、簡単にひいては低コストに製作可能である。有利には、第１の部材（１０）と第２の部材（１２）と第３の部材（１２）とは、シート状に形成されている。これにより、ハンドスイッチは、特別に僅かな構成高さしか有していなくてよい。
2004528684.tif 000002
【特許請求の範囲】
【請求項１】
家具の複数の部分を互いに対して相対的に調節するための、電気モータ式の家具駆動装置であって、
ハンドスイッチが設けられており、該ハンドスイッチがケーシングを有しており、該ケーシングにもしくは該ケーシング内に、当該家具駆動装置を制御するための電気的なスイッチ手段が配置されている形式のものにおいて、
電気的なスイッチ手段が、少なくとも１つの第１の部材（８）と、少なくとも１つの第２の部材（１０）とを有しており、前記第１の部材（８）が、当該家具駆動装置を制御するための制御回路の一部である少なくとも１つの導体路（１６）を有しており、前記第１の部材（８）と前記第２の部材（１０）とが、非作業位置では互いに間隔を保って配置されており、
前記第２の部材（１０）が、弾性変形可能な少なくとも１つのコンタクトエレメント（３８）を有しており、該少なくとも１つのコンタクトエレメント（３８）が少なくとも部分的に、導電性の材料から成っていて、非作業位置と操作位置との間で移動可能であり、前記操作位置では、前記少なくとも１つの導体路（１６）と前記コンタクトエレメント（３８）との間に電気的な接触接続が、この操作位置で当該家具駆動装置の制御が行われるように生ぜしめられていることを特徴とする、家具の複数の部分を互いに対して相対的に調節するための、電気モータ式の家具駆動装置。
【請求項２】
前記コンタクトエレメント（３８）が舌片状に形成されている、請求項１記載の家具駆動装置。
【請求項３】
前記コンタクトエレメント（３８）が、前記第２の部材（１０）と一体的に形成されている、請求項２記載の家具駆動装置。
【請求項４】
前記第１の部材（８）および／または前記第２の部材（１０）が、実質的に面状に形成されている、請求項１記載の家具駆動装置。
【請求項５】
前記第１の部材（８）および／または前記第２の部材（１０）がほぼ完全に、導電性の材料、特に金属から成っている、請求項１記載の家具駆動装置。
【請求項６】
前記第１の部材（８）および／または前記第２の部材（１０）が、実質的にシート状に形成されている、請求項１記載の家具駆動装置。
【請求項７】
前記第１の部材（８）と前記第２の部材（１０）とが、スペーサ手段によって互いに間隔を保って保持されている、請求項１記載の家具駆動装置。
【請求項８】
スペーサ手段が、電気絶縁性の材料、特にプラスチックから成っている、請求項７記載の家具駆動装置。
【請求項９】
スペーサ手段が、実質的に面状に形成された第３の部材（１２）によって形成されており、該第３の部材（１２）が、少なくとも１つの貫通部（６０）を有しており、該少なくとも１つの貫通部（６０）を通って、操作位置における前記コンタクトエレメント（３８）が、前記第１の部材（８）の前記導体路（１６）に接触接続するために延在している、請求項７記載の家具駆動装置。
【請求項１０】
前記第２の部材（１０）が、少なくとも２つのコンタクトエレメント（３８〜４６）を有している、請求項１記載の家具駆動装置。
【請求項１１】
前記少なくとも２つのコンタクトエレメント（３８〜４６）にそれぞれ１つの貫通部が、第３の部材（１２）において対応配置されている、請求項９および１０記載の家具駆動装置。
【請求項１２】
前記第１の部材（８）および／または前記第２の部材（１０）が、打抜き部材によって形成されている、請求項１記載の家具駆動装置。
【請求項１３】
前記第１の部材（８）および／または前記第２の部材（１０）が、りん青銅から成っている、請求項１記載の家具駆動装置。
【請求項１４】
前記第１の部材（８）が、互いに電気絶縁された少なくとも２つの導体路（１６〜２２）を有している、請求項１記載の家具駆動装置。
【請求項１５】
操作位置における前記コンタクトエレメントが、前記第１の部材（８）に配属された２つの導体路を互いに導電接続している、請求項１４記載の家具駆動装置。
【請求項１６】
操作位置における前記コンタクトエレメントが、前記第１の部材（８）に配属された導体路を、前記第２の部材（１０）に配属されていて前記コンタクトエレメントに導電接続されている導体路に導電接続している、請求項１記載の家具駆動装置。
【請求項１７】
操作位置における前記コンタクトエレメント（３８）が、前記第１の部材（８）に配属された導体路（１６）を、前記第２の部材（１０）に導電接続している、請求項１５記載の家具駆動装置。
【請求項１８】
前記第２の部材（１０）が、前記第１の部材（８）の前記少なくとも２つの導体路（１６〜２２）に対して、共通のアース接続部を形成している、請求項１７記載の家具駆動装置。
【請求項１９】
前記第１の部材（８）の各導体路（１６〜２２）に、前記第２の部材（１０）において１つのコンタクトエレメントが対応配置されている、請求項１４記載の家具駆動装置。
【請求項２０】
前記第１の部材（８）および／または前記第２の部材（１０）が、当該家具駆動装置の制御線路（６８〜７６）を接続するための少なくとも１つの接続エレメントを有している、請求項１記載の家具駆動装置。
【請求項２１】
電気的なスイッチ手段が、別の第１の部材（８′）と、弾性変形可能な別のコンタクトエレメント（３８′）を備えた別の第２の部材（１０′）とを有しており、前記別のコンタクトエレメント（３８′）が少なくとも部分的に、導電性の材料から成っていて、非作業位置と操作位置との間で移動可能であり、前記操作位置では、前記別の第１の部材（８′）の導体路と前記別のコンタクトエレメント（３８′）との間に電気的な接触接続が生ぜしめられており、当該家具駆動装置を制御するための別の制御回路が閉じられている、請求項１記載の家具駆動装置。
【請求項２２】
前記別の制御回路が、当該家具駆動装置の電源切断装置の作用もしくは非作用のために働くようになっている、請求項２１記載の家具駆動装置。
【発明の詳細な説明】
【技術分野】
【０００１】
本発明は、家具の複数の部分を互いに対して相対的に調節するための、請求項１の上位概念部に記載した形式の、電気モータ式の家具駆動装置に関する。
【０００２】
このような家具駆動装置は、例えばドイツ連邦共和国特許第１９５２９９６２号明細書に基づき一般に公知である。ユーザによる操作のために、このような家具駆動装置はハンドスイッチを有しており、このハンドスイッチはケーシングを有している。このケーシングにはもしくはこのケーシング内には、家具駆動装置を制御するための電気的なスイッチ手段が配置されている。この電気的なスイッチ手段は、家具駆動装置の制御回路の一部であるので、家具駆動装置は、ハンドスイッチの、例えば押しボタンの形状のスイッチングエレメントの操作によって制御可能である。公知の家具駆動装置では、電気的なスイッチ手段は、マイクロスイッチによって形成されている。
【０００３】
公知の家具駆動装置の欠点は、この家具駆動装置がマイクロスイッチに基づいて比較的にコスト高であり、ひいては製作に関して高くつくことにある。
【０００４】
本発明の課題は、請求項１の上位概念部に記載した形式の、電気モータ式の家具駆動装置を改良して、その製作が簡単化されひいては低コストに構成されるようなものを提供することである。
【０００５】
この課題は、請求項１に記載した教示によって解決される。
【０００６】
本発明は、電気的なスイッチ手段をマイクロスイッチによって形成するという考えにとらわれない。その代わりに本発明では、第１の部材と第２の部材とが設けられており、両部材のうちの第１の部材は、少なくとも１つの導体路を有していて、第２の部材は、弾性変形可能な少なくとも１つのコンタクトエレメントを有しており、該少なくとも１つのコンタクトエレメントは少なくとも部分的に、導電性の材料から成っている。前記コンタクトエレメントは、非作業位置と操作位置との間で移動可能であり、この場合、操作位置では、前記導体路と前記コンタクトエレメントとの間に電気的な接触接続が、この操作位置で当該家具駆動装置の制御が行われるように生ぜしめられている。
【０００７】
これにより、マイクロスイッチの使用が回避されているので、本発明による家具駆動装置は、その構造に関して単純化されひいては低コストに構成されている。
【０００８】
前記コンタクトエレメントは、弾性変形可能に形成されているので、操作後には操作位置から非作業位置にばね弾性的に戻される。これにより、前記コンタクトエレメントを非作業位置に戻すための別個の手段は、必要とされない。
【０００９】
前記コンタクトエレメントの形状と大きさとは、広い範囲内で選択可能である。前記コンタクトエレメントは、有利には、実施例の場合のように舌片状に形成されている。
【００１０】
前記コンタクトエレメントは、原則的には、第１の部材に結合された別個の構成部材として形成されていてよい。しかしながら特別に有利な構成では、前記コンタクトエレメントは、第２の部材と一体的に形成されている。これにより、製作がさらに簡単化される。なぜならば、前記コンタクトエレメントを形成するための別個の構成部材は、必要とされないからである。
【００１１】
別の構成では、第１の部材および／または第２の部材は、実質的に面状に形成されている。この実施態様では、ハンドスイッチは、第１の部材もしくは第２の部材が実質的に面状に形成されていることに基づいて、特別に僅かな構成高さしか有していなくてよい。
【００１２】
原則的には、前記コンタクトエレメントと前記導体路とが導電性の材料から成っているが、これ以外の点では第１の部材と第２の部材とが電気絶縁性の材料から成っていても、十分である。しかしながら特別に有利な構成では、第１の部材および／または第２の部材は、ほぼ完全に、導電性の材料から成っている。これにより、本発明によるハンドスイッチの製作がさらに簡単化される。
【００１３】
本発明による教示の、極めて有利な別の構成では、第１の部材および／または第２の部材は、実質的にシート状に形成されている。この実施態様では、第１の部材もしくは第２の部材の製作は、特別に低コストである。なぜならば、シート状の形成に基づいて、これらの部材の製作には僅かな材料しか必要とされないからである。さらに、シート、例えば金属シートは、例えば切断、打抜きまたはエッチングによって特別に簡単に加工され得る。
【００１４】
別の構成では、第１の部材と第２の部材とは、スペーサ手段によって互いに間隔を保って保持されている。
【００１５】
上記の実施態様の１構成では、スペーサ手段は、電気絶縁性の材料から成っている。これにより、スペーサ手段によって同時に、第１の部材が第２の部材に対して電気絶縁される。したがって、前記コンタクトエレメントの非作業位置では、このコンタクトエレメントと第１の部材の前記導体路との間の電気的な接触接続が確実に回避されている。
【００１６】
上記の実施態様では、電気絶縁性の材料は、有利にはプラスチックである。これにより、特別に単純なひいては低コストな構造が得られる。
【００１７】
スペーサ手段を備えた実施態様の極めて有利な構成では、スペーサ手段は、実質的に面状に形成された第３の部材によって形成されており、該第３の部材は貫通部を有しており、該貫通部を通って、操作位置における前記コンタクトエレメントが、第１の部材の前記導体路に接触接続するために延在している。この実施態様では、家具駆動装置のハンドスイッチの構成高さがさらに減少され得る。なぜならば、第１の部材と第２の部材と第３の部材とが実質的に面状に形成されていてよく、かつサンドイッチ状に重なり合って配置されていてよいからである。
【００１８】
家具駆動装置の複数の機能の制御を可能にするために、第２の部材は、有利には少なくとも２つのコンタクトエレメントを有している。
【００１９】
少なくとも２つのコンタクトエレメントと、面状に形成された第３の部材とを備えた実施態様の１構成では、前記少なくとも２つのコンタクトエレメントにそれぞれ１つの貫通部が、第３の部材において対応配置されている。
【００２０】
第１の部材もしくは第２の部材の製作をさらに簡単化するために、ひいてはより低コストに構成するために、別の構成では、第１の部材および／または第２の部材は、打抜き部材によって形成されている。
【００２１】
第１の部材もしくは第２の部材の材料は、広い範囲内で選択可能である。有利な実施態様では、第１の部材および／または第２の部材は、りん青銅から成っている。この実施態様では、第１の部材もしくは第２の部材は、特別に低コストに構成されている。さらに、りん青銅は高い導電率を有している。
【００２２】
当該家具駆動装置の複数の機能を制御するためには、第１の部材が、互いに電気絶縁された少なくとも２つの導体路を有していると、有利である。
【００２３】
別の構成では、操作位置における前記コンタクトエレメントは、第１の部材に配属された２つの導体路を互いに導電接続している。この実施態様では前記コンタクトエレメントの操作位置において、当該家具駆動装置のための制御電流が、第１の部材の２つの導体路を介して流れており、これらの２つの導体路は、前記コンタクトエレメントによって互いに導電接続されている。
【００２４】
別の有利な実施態様によれば、操作位置における前記コンタクトエレメントは、第１の部材に配属された導体路を、第２の部材に配属されていてコンタクトエレメントに導電接続されている導体路に導電接続している。この実施態様では、当該家具駆動装置を制御するための制御電流は、第１の部材に配属された導体路から前記コンタクトエレメントを介して、第２の部材に配属された導体路へと流れるようになっている。
【００２５】
別の有利な実施態様では、操作位置における前記コンタクトエレメントは、第１の部材に配属された導体路を、第２の部材に導電接続している。この実施態様では、第２の部材は、当該家具駆動装置を制御するための制御電流を戻すために働くようになっている。
【００２６】
上記の実施態様では、第２の部材が、第１の部材の導体路に対して、共通のアース接続部を形成していると有利である。この実施態様は、特別に構造が単純である。なぜならば、第２の部材において、別個の導体路は原則的に必要とされないからである。
【００２７】
別の有利な構成では、第１の部材の各導体路に、第２の部材において１つのコンタクトエレメントが対応配置されている。この実施態様では、各導体路は、当該家具駆動装置の種々異なる機能を互いに切り離して制御するための制御線路の一部として働くようになっている。
【００２８】
第１の部材および／または第２の部材は、有利には、当該家具駆動装置の制御線路を接続するための少なくとも１つの接続エレメントを有している。これにより、制御線路の接続が容易になっている。前記接続エレメントは、例えば、ケーブルシューの形式で形成されていてよいかまたは緊締エレメントとしてまたはろう接ラグとして形成されていてよい。
【００２９】
以下に本発明の実施例を、添付した図面を用いて詳しく説明する。図面には、家具駆動装置のための、本発明によるハンドスイッチの実施例を示してある。
【００３０】
図１には、本発明によるハンドスイッチ２の第１実施例を示してある。このハンドスイッチ２は、プラスチック製の半シェル４，６から成っているケーシングを有している。ハンドスイッチ２は、さらに、第１の部材８と第２の部材１０とを有しており、前記第１の部材８についてはさらに後で図２を用いて詳しく説明し、前記第２の部材１０についてはさらに後で図３を用いて詳しく説明する。第１の部材８と第２の部材１０とは、この実施例ではシート状に形成されていて、りん青銅製の薄いシートから打ち抜かれている。ハンドスイッチ２の組付け位置では、第１の部材８と第２の部材１０とは、スペーサ手段によって互いに間隔を保って保持されている。この場合、スペーサ手段は、図示の実施例ではシート状の第３の部材１２によって形成されており、この第３の部材１２は、プラスチックシートから打ち抜かれている。
【００３１】
さらに、ハンドスイッチ２は操作エレメント１４を有しており、この操作エレメント１４は、図示の実施例ではマット状に形成されていて、シリコーンから成っている。操作エレメント１４については、さらに後で図４を用いて詳しく説明する。
【００３２】
図２には、第１の部材８を示してあり、この第１の部材８は、図示の実施例では互いに電気絶縁された４つの導体路１６，１８，２０，２２を有している。これらの導体路１６，１８，２０，２２は、中間スペース２４，２６，２８の打抜きによって互いに分離されていて、互いに電気絶縁されている。家具駆動装置を制御するための制御線路（図２には図示せず）を接続するために、導体路１６，１８，２０，２２は、緊締エレメント３０，３２，３４，３６としての接続エレメントを有している。しかしながら、これらの接続エレメントは、ケーブルシューの形式で形成されていてもよいかまたは制御線路をろう接するためのろう接ラグとして形成されていてもよい。図２には、破線でウェブ３５，３７を示してあり、これらのウェブ３５，３７は導体路１６，１８，２０，２２を互いに結合している。この形式で第１の部材８は予め大量生産されて、例えば複数の第１の部材８が互いに結合された状態で連続して巻き取られているロールの形状で、供給され得る。ウェブ３５，３７が導体路１６，１８，２０，２２を、ハンドスイッチ２の組付けにとっては好ましくない形式で互いに導電接続しているので、これらのウェブ３５，３７は、第１の部材８の組付けに際して分離される。必要とあれば、ウェブ３５，３７の分離後に導体路１６，１８，２０，２２を、任意の適当な手段によって互いに間隔を保って位置固定することができ、ひいては万一必要とあれば互いに電気絶縁することができる。しかしながら原則的には、導体路１６，１８，２０，２２を、ハンドスイッチ２の組付けに際して固定しないで並べて配置すれば、十分である。
【００３３】
図３には、第２の部材１０の平面図を示してある。この第２の部材１０は、弾性変形可能な舌片状のコンタクトエレメント３８，４０，４２，４４を有しており、これらのコンタクトエレメント３８，４０，４２，４４は、第２の部材１０から打ち抜かれている。家具駆動装置を制御するための制御線路（図３には図示せず）を接続するために、第２の部材１０は、緊締エレメント４８としての接続エレメントを有している。
【００３４】
図４には、操作エレメント１４の平面図を示してある。この操作エレメント１４は操作ボタン５０，５２，５６，５８を有している。
【００３５】
図５には、組込み状態のハンドスイッチ２の構成部材を示してある。この組込み状態では、コンタクトエレメント３８が導体路１６に対して、コンタクトエレメント４０が導体路２２に対して、コンタクトエレメント４２が導体路１８に対して、コンタクトエレメント４４が導体路２０に対して配置されている。
【００３６】
コンタクトエレメント３８の操作に際してコンタクトエレメント３８と導体路１６との間の導電接続を可能にするために、第３の部材１２には貫通部６０が形成されている。この貫通部６０を通って、操作位置におけるコンタクトエレメント３８が延在しているので、このコンタクトエレメント３８は、第１の部材８の導体路１６に接触接続する。これに対して相応の形式で、コンタクトエレメント４０には貫通部６２が、コンタクトエレメント４２には貫通部６４が、コンタクトエレメント４４には貫通部６６が対応配置されている。
【００３７】
組込み位置では、緊締エレメント３０には家具駆動装置を制御するための制御線路６８が、緊締エレメント３２には家具駆動装置を制御するための制御線路７０が、緊締エレメント３４には家具駆動装置を制御するための制御線路７２が、緊締エレメント３６には家具駆動装置を制御するための制御線路７４が接続されており、第２の部材１０の緊締エレメント４８には制御線路７６が接続されている。
【００３８】
図６と、図６におけるＣ部分を示す図７とには、組込み位置における部分８，１０，１２がサンドイッチ状に重なり合って配置されていることを示してある。この場合、所定の部分の方向７８に手で操作可能な操作ボタン５０，５２，５４，５６が、第２の部材１０の、第１の部材８とは反対の側に接触しており、構成部材はケーシングの半シェル４，６によって包囲されている。
【００３９】
本発明によるハンドスイッチ２の機能形式は、以下の通りである：
ユーザによって操作ボタン５０が押し下げられる際、舌片状のコンタクトエレメント３８が弾性変形させられので、このコンタクトエレメント３８は、導体路１６に当接するまで第３の部材１２における貫通部６０を通って延在する。これにより、導体路１６とコンタクトエレメント３８との間にひいては導体路１６と第２の部材１０との間に導電接続が生ぜしめられる。これに基づいて、制御線路６８とコンタクトエレメント３８と第２の部材１０と制御線路７６とを介して、家具駆動装置を制御するための、例えば家具駆動装置によって調節可能な枠格子（Ｌａｔｔｅｎｒｏｓｔ）を傾斜調節するための制御電流が流れる。対応する形式で、操作ボタン５２，５４，５６，５８によって、家具駆動装置の別の機能が制御可能である。
【００４０】
部材８，１０，１２がシート状に形成されていることに基づいて、ハンドスイッチ２は、極めて僅かな構成高さしか有していない。部材８，１０が金属シートの打抜きによって、かつ部材１２がプラスチックシートの打抜きによって、特別に単純なひいては低コストな形式で製作可能となるため、ハンドスイッチ２は、総じて、特別に簡単にひいては低コストに製作可能となる。
【００４１】
この場合、第３の部材１２の厚さは次のように寸法設計されている。すなわち、操作ボタン５０〜５８の非作業位置では、それぞれ対応配置されたコンタクトエレメント３８〜４６と、これらのコンタクトエレメント３８〜４６に対応配置された導体路１６〜２２との接触接続が防止されているが、操作ボタン５０〜５８の操作位置では、導電性の接触接続が生ぜしめられているように、寸法設計されている。
【００４２】
図８には、ハンドスイッチ２の第２実施例を示してある。この実施例は、別の第１の部材８′と、別の第２の部材１０′と、別の第３の部材１２′とが設けられているという点で、図１に示した実施例とは異なっている。別の第１の部材８′と、別の第２の部材１０′と、別の第３の部材１２′とは、部材８；１０；１２について先述した通りに形成されている。別の第２の部材１０′は、第１の部材８の下方に配置されており、この場合、両部材の間にはスペーサ８０が配置されている。
【００４３】
別の第２の部材１０′は、別のコンタクトエレメント３８′を有しており、このコンタクトエレメント３８′は、図１０に示した操作位置では、別の第１の部材８′に形成された導体路に接触接続しており、したがって家具駆動装置を制御するための別の制御回路を閉じている。前記別の制御回路は、この実施例では、電源切断装置の作用もしくは非作用のために働くようになっている。この電源切断装置は、別のコンタクトエレメント３８′の非作業位置（図８参照）では作用位置にもたらされているので、全家具駆動装置が無通電状態に切り換えられている。これに対して、別のコンタクトエレメント３８′の操作位置では、電源切断装置は非作用位置にもたらされている。
【００４４】
スペーサ８０は、第１のコンタクトエレメント３８と前記別のコンタクトエレメント３８′との間に配置された一腕状のレバー８２を有している。このレバー８２は、第１のコンタクトエレメント３８が操作位置に移動させられる際に、別のコンタクトエレメント３８′を操作位置に移動させる。このために、一腕状のレバー８２はその自由端部に肉厚部８４を有している。コンタクトエレメント３８，３８′に対して垂直な方向における、前記肉厚部８４の延在長さは、次のように寸法設定されている。すなわち、操作ボタン５０の押し下げに際して、まず、前記別の制御回路が別のコンタクトエレメント３８′によって閉じられ、かつ前記電源切断装置が非作用位置にもたらされ、これに続いて制御回路がコンタクトエレメント３８によって閉じられるように、寸法設定されている。
【００４５】
これにより、操作ボタン５０の解放に際して電源切断装置が自動的に作用位置にもたらされるので、非使用時の家具駆動装置は、常時、無通電状態に切り換えられている。
【図面の簡単な説明】
【００４６】
【図１】本発明によるハンドスイッチの第１実施例を概略的に示す斜視図的な分解図である
【図２】図１に示したハンドスイッチの、複数の導体路を有している第１の部材を、図１に比べて拡大して示す平面図である
【図３】図１に示したハンドスイッチの、舌片状の複数のコンタクトエレメントを有している第２の部材を、図２と同様な図示で示す図である
【図４】図１に示したハンドスイッチの、複数の操作ボタンを有している操作エレメントを、図２と同様な図示で示す図である
【図５】図１に示したハンドスイッチの組み立てられた状態を、部分的に透視図で示す平面図である
【図６】図５におけるＶＩ−ＶＩ線に沿った断面図である
【図７】図６のＣ部分を示す図である
【図８】コンタクトエレメントが非作業位置にある状態で、本発明による家具駆動装置のハンドスイッチの第２実施例を示す縦断面図の一部である
【図９】図８のＢ部分を拡大して示す図である
【図１０】コンタクトエレメントが操作位置にある状態で、図８に示した実施例を図８と同様な図示で示す図である
【図１１】図１０のＢ部分を、図９と同様な図示で示す図である
【国際公開パンフレット】
2004528684.tif 000003
2004528684.tif 000004
2004528684.tif 000005
2004528684.tif 000006
2004528684.tif 000007
2004528684.tif 000008
2004528684.tif 000009
2004528684.tif 000010
2004528684.tif 000011
2004528684.tif 000012
2004528684.tif 000013
2004528684.tif 000014
2004528684.tif 000015
2004528684.tif 000016
2004528684.tif 000017
2004528684.tif 000018
2004528684.tif 000019
2004528684.tif 000020
2004528684.tif 000021
2004528684.tif 000022
2004528684.tif 000023
2004528684.tif 000024
2004528684.tif 000025
2004528684.tif 000026
2004528684.tif 000027
【手続補正書】
【提出日】平成15年5月13日(2003.5.13)
【手続補正１】
【補正対象書類名】特許請求の範囲
【補正対象項目名】全文
【補正方法】変更
【補正の内容】
【特許請求の範囲】
【請求項１】
家具の複数の部分を互いに対して相対的に調節するための、電気モータ式の家具駆動装置であって、
ハンドスイッチ（２）が設けられており、該ハンドスイッチ（２）がケーシングを有しており、該ケーシングにもしくは該ケーシング内に、当該家具駆動装置を制御するための電気的なスイッチ手段が配置されており、
電気的なスイッチ手段が、少なくとも１つの第１の部材（８）と、少なくとも１つの第２の部材（１０）とを有しており、前記第１の部材（８）が、当該家具駆動装置を制御するための制御回路の一部である少なくとも１つの導体路（１６）を有しており、前記第１の部材（８）と前記第２の部材（１０）とが、非作業位置では互いに間隔を保って配置されており、
前記第２の部材（１０）が、弾性変形可能な少なくとも１つのコンタクトエレメント（３８）を有しており、該少なくとも１つのコンタクトエレメント（３８）が少なくとも部分的に、導電性の材料から成っていて、非作業位置と操作位置との間で移動可能であり、前記操作位置では、前記少なくとも１つの導体路（１６）と前記コンタクトエレメント（３８）との間に電気的な接触接続が、この操作位置で当該家具駆動装置の制御が行われるように生ぜしめられている形式のものにおいて、
前記コンタクトエレメント（３８）が舌片状に形成されていることを特徴とする、家具の複数の部分を互いに対して相対的に調節するための、電気モータ式の家具駆動装置。
【請求項２】
前記コンタクトエレメント（３８）が、前記第２の部材（１０）と一体的に形成されている、請求項１記載の家具駆動装置。
【請求項３】
前記第１の部材（８）および／または前記第２の部材（１０）が、実質的に面状に形成されている、請求項１記載の家具駆動装置。
【請求項４】
前記第１の部材（８）および／または前記第２の部材（１０）がほぼ完全に、導電性の材料、特に金属から成っている、請求項１記載の家具駆動装置。
【請求項５】
前記第１の部材（８）および／または前記第２の部材（１０）が、実質的にシート状に形成されている、請求項１記載の家具駆動装置。
【請求項６】
前記第１の部材（８）と前記第２の部材（１０）とが、スペーサ手段によって互いに間隔を保って保持されている、請求項１記載の家具駆動装置。
【請求項７】
スペーサ手段が、電気絶縁性の材料、特にプラスチックから成っている、請求項６記載の家具駆動装置。
【請求項８】
スペーサ手段が、実質的に面状に形成された第３の部材（１２）によって形成されており、該第３の部材（１２）が、少なくとも１つの貫通部（６０）を有しており、該少なくとも１つの貫通部（６０）を通って、操作位置における前記コンタクトエレメント（３８）が、前記第１の部材（８）の前記導体路（１６）に接触接続するために延在している、請求項６記載の家具駆動装置。
【請求項９】
前記第２の部材（１０）が、少なくとも２つのコンタクトエレメント（３８〜４６）を有している、請求項１記載の家具駆動装置。
【請求項１０】
前記少なくとも２つのコンタクトエレメント（３８〜４６）にそれぞれ１つの貫通部が、第３の部材（１２）において対応配置されている、請求項８および９記載の家具駆動装置。
【請求項１１】
前記第１の部材（８）および／または前記第２の部材（１０）が、打抜き部材によって形成されている、請求項１記載の家具駆動装置。
【請求項１２】
前記第１の部材（８）および／または前記第２の部材（１０）が、りん青銅から成っている、請求項１記載の家具駆動装置。
【請求項１３】
前記第１の部材（８）が、互いに電気絶縁された少なくとも２つの導体路（１６〜２２）を有している、請求項１記載の家具駆動装置。
【請求項１４】
操作位置における前記コンタクトエレメントが、前記第１の部材（８）に配属された２つの導体路を互いに導電接続している、請求項１３記載の家具駆動装置。
【請求項１５】
操作位置における前記コンタクトエレメントが、前記第１の部材（８）に配属された導体路を、前記第２の部材（１０）に配属されていて前記コンタクトエレメントに導電接続されている導体路に導電接続している、請求項１記載の家具駆動装置。
【請求項１６】
操作位置における前記コンタクトエレメント（３８）が、前記第１の部材（８）に配属された導体路（１６）を、前記第２の部材（１０）に導電接続している、請求項１４記載の家具駆動装置。
【請求項１７】
前記第２の部材（１０）が、前記第１の部材（８）の前記少なくとも２つの導体路（１６〜２２）に対して、共通のアース接続部を形成している、請求項１６記載の家具駆動装置。
【請求項１８】
前記第１の部材（８）の各導体路（１６〜２２）に、前記第２の部材（１０）において１つのコンタクトエレメントが対応配置されている、請求項１３記載の家具駆動装置。
【請求項１９】
前記第１の部材（８）および／または前記第２の部材（１０）が、当該家具駆動装置の制御線路（６８〜７６）を接続するための少なくとも１つの接続エレメントを有している、請求項１記載の家具駆動装置。
【請求項２０】
電気的なスイッチ手段が、別の第１の部材（８′）と、弾性変形可能な別のコンタクトエレメント（３８′）を備えた別の第２の部材（１０′）とを有しており、前記別のコンタクトエレメント（３８′）が少なくとも部分的に、導電性の材料から成っていて、非作業位置と操作位置との間で移動可能であり、前記操作位置では、前記別の第１の部材（８′）の導体路と前記別のコンタクトエレメント（３８′）との間に電気的な接触接続が生ぜしめられており、当該家具駆動装置を制御するための別の制御回路が閉じられている、請求項１記載の家具駆動装置。
【請求項２１】
前記別の制御回路が、当該家具駆動装置の電源切断装置の作用もしくは非作用のために働くようになっている、請求項２０記載の家具駆動装置。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
ヨーロッパ特許出願公開第０２３４１９３号明細書に基づいて、家具の複数の部分を互いに対して相対的に調節するための、当該形式の、電気モータ式の家具駆動装置が公知である。この家具駆動装置には、ハンドスイッチが設けられており、該ハンドスイッチはケーシングを有しており、該ケーシングにもしくは該ケーシング内に、家具駆動装置を制御するための電気的なスイッチ手段が配置されている。この公知の家具駆動装置では、電気的なスイッチ手段は、第１の部材と少なくとも１つの第２の部材とを有しており、前記第１の部材は、家具駆動装置を制御するための制御回路の一部である少なくとも１つの導体路を有している。この場合、第１の部材と前記第２の部材とは、非作業位置では互いに間隔を保って配置されており、前記第２の部材は、弾性変形可能な少なくとも１つのコンタクトエレメントを有しており、該少なくとも１つのコンタクトエレメントは少なくとも部分的に、導電性の材料から成っていて、非作業位置と操作位置との間で移動可能であり、前記操作位置では、前記少なくとも１つの導体路と前記コンタクトエレメントとの間に電気的な接触接続が、この操作位置で家具駆動装置の制御が行われるように生ぜしめられている。この公知の家具駆動装置の欠点は、この家具駆動装置が、そのコスト高なハンドスイッチに基づいてコスト高であり、ひいては製作に関して高くつくことにある。
アメリカ合衆国特許第３９９６４３０号明細書に基づいて、テレビのためのリモートコントロール装置が公知である。
本発明の課題は、請求項１の上位概念部に記載した形式の、電気モータ式の家具駆動装置を改良して、その製作が簡略化されひいては低コストに構成されるようなものを提供することである。
この課題は、請求項１に記載した教示によって解決される。
本発明は、電気的なスイッチ手段をマイクロスイッチによって形成するという考えにとらわれない。その代わりに本発明では、第１の部材と第２の部材とが設けられており、両部材のうちの第１の部材は、少なくとも１つの導体路を有していて、第２の部材は、弾性変形可能な少なくとも１つのコンタクトエレメントを有しており、該少なくとも１つのコンタクトエレメントは少なくとも部分的に、導電性の材料から成っている。前記コンタクトエレメントは、非作業位置と操作位置との間で移動可能であり、この場合、操作位置では、前記導体路と前記コンタクトエレメントとの間に電気的な接触接続が、この操作位置で当該家具駆動装置の制御が行われるように生ぜしめられている。




【国際調査報告】
2004528684.tif 000028
2004528684.tif 000029
2004528684.tif 000030
2004528684.tif 000031
2004528684.tif 000032
2004528684.tif 000033